(57)【要約】【課題】本発明はスライドファスナーに関し、例えば衣服、かばん、袋物、くつ、寝具、テント等の開口部を開閉するのに使用され、開閉に際し、務歯が裏地に噛み合うのを防止して開閉操作を迅速かつ円滑に行うためのものである。【解決手段】務歯２Ａ，２Ｂを開閉するスライダー１の下部に務歯の下面に接触しながら裏地６，６との間に進入可能に分離板５を設け、該分離板には閉方向側Ａまたは開方向側Ｂに設ける務歯を導入するか、または導出させる開口部３，４の少なくとも一方に対して底部７Ａが先窄まりで前端および後端に側面所望角度θ１にて設置される端部傾斜面部９と、該端部傾斜面部９の左右両側に正面所望角度θ２に連設された傾斜側面部１０，１０とによりなるそり上がった立上がり部７Ｂの壁面部７が形成された。【選択図】　　　図１
2004024740.tif 000002
【特許請求の範囲】
【請求項１】
務歯を開閉するスライダーの下部に務歯の下面に接触しながら裏地との間に進入可能に分離板を設け、該分離板には閉方向側または開方向側に設ける務歯を導入するか、または導出させる開口部の少なくとも一方に対して底部が先窄まりで前端および後端に側面所望角度にて設置される端部傾斜面部と、該端部傾斜面部の左右両側に正面所望角度に連設された傾斜側面部とによりなるそり上がった立上がり部の壁面部が形成されたことを特徴とするスライドファスナー。
【請求項２】
前記壁面部の底部は、スライダーの閉方向側または開方向側に務歯を開閉可能に設ける務歯を導入するか、または導出させる開口部よりも前端および後端が幅狭に形成されることを特徴とする請求項１に記載のスライドファスナー。
【請求項３】
前記壁面部は、スライダーの閉方向側および開方向側に設けることを特徴とする請求項１または請求項２の何れかに記載のスライドファスナー。
【請求項４】
前記壁面部は、分離板の前端および後端に側面所望角度にて設置される正面略逆台形の端部傾斜面部と、該端部傾斜面部の左右両側に正面所望角度に連設された側面逆三角形の傾斜側面部とにより形成されることを特徴とする請求項１、請求項２、または請求項３の何れかに記載のスライドファスナー。
【請求項５】
前記分離板は、スライダーと一体に形成されるか、またはスライダーとは別体に形成されて適宜固着手段によりスライダーの下部に取付けられることを特徴とする請求項１，請求項２，請求項３，または請求項４の何れかに記載のスライドファスナー。
【請求項６】
前記分離板は、該分離板の上面にスライダーの底面形状に略合致して設けた嵌合凹部または孔部にスライダーの下部が嵌着されることを特徴とする請求項１，請求項２，請求項３，請求項４，または請求項５の何れかに記載のスライドファスナー。
【請求項７】
務歯を開閉するスライダーの底面に、閉方向側または開方向側に設ける務歯を導入するか、または導出させる開口部の少なくとも一方の何れかの前部に位置して平面先窄まりの案内立壁部が形成されたことを特徴とするスライドファスナー。
【請求項８】
前記案内立壁部は、スライダーの閉方向側または開方向側に務歯を開閉可能に設ける務歯を導入するか、または導出させる開口部よりも前端または後端が幅狭に形成されることを特徴とする請求項７に記載のスライドファスナー。
【請求項９】
スライダーの前記底部は、閉方向側の開口部よりも前方へ延長させた第１延出端として形成されるとともに開方向側には開口部よりも後方へ延長させた第２延出端として形成されることを特徴とする請求項７または請求項８の何れかに記載のスライドファスナー。
【発明の詳細な説明】
【０００１】
【発明の属する技術分野】
本発明はスライドファスナーに関し、例えば衣服、かばん、袋物、くつ、寝具、テント等の開口部を開閉するのに使用され、開閉に際し、務歯が裏地に噛み合うのを防止して開閉操作を迅速かつ円滑に行うためのものである。
【０００２】
【従来の技術】
従来、例えばコート、上着、ジャンパー、ズボン、スキーウェアー等の衣服、またかばん、袋物、くつ、寝具、テント等の開口部を開閉するのにスライドファスナーが使用されていた。このスライドファスナーには例えば従来、図１５ないし図１９に示すものがあった。
すなわち、左右１対のストリンガーｂ，ｂのテープｃ，ｃに固着した務歯ｄ１，ｄ２を開閉操作するには、引手ｅを有するスライダーａを閉方向側Ａ′または開方向側Ｂ′に移動操作させることにより、このスライダーａの前後に設けた務歯ｄ１，ｄ２を導入するか、または導出させる開口部ｆ，ｇの何れか内に務歯ｄ１，ｄ２を導入して左右の務歯ｄ１，ｄ２相互を噛み合わせるか、または他側の開口部ｇ，ｆの何れかから務歯ｄ１，ｄ２を導出して務歯ｄ１，ｄ２の噛み合いを解いて左右１対の務歯ｄ１，ｄ２の開閉操作を行うものである。
【０００３】
またほかのスライドファスナーの従来例として例えば図２０および図２１に示すものがある。
すなわち、スライダーａ′の務歯ｄ１，ｄ２を導入するか、または導出させる開口部ｆ′，ｇ′に対して前部に位置するような断面略スプーン状の分離板ｉをスライダーａ′の底部に設けることにより、この分離板ｉにより裏地ｈ′等を下方へ押下げて開口部ｆ′内に務歯ｄ１，ｄ２を導入して閉じるものである。
【０００４】
さらに、ほかの従来例として図２２に示すように、スライダーａ″の下面にテーパを外周に形成した略皿状の滑盤ｉ″を装着したものがあった。この従来例は、滑盤ｉ″により袋物に詰めた内容物としての布ｈ″等を下方へ押下げ、務歯ｄ１，ｄ２ないしはスライダーａ″との絡み込みを無くそうとするものである。
【０００５】
【発明が解決しようとする課題】
しかしながら図１５ないし図１９に示す上記従来のスライドファスナーは、スライダーａを移動操作させて左右１対の務歯ｄ１，ｄ２の開閉操作を行うのに、図１５，図１６，図１７に示すようにスライダーａを閉方向に移動した場合には、務歯ｄ１，ｄ２とスライダーａの閉方向側Ａ′の開口部ｆとの間に間隙ｋが形成されるので、この間隙ｋ内に裏地ｈ，ｈが入り込み、不用意に噛み合うため、スライダーａが務歯ｄ１，ｄ２に対して動かなくなり、務歯ｄ１，ｄ２の閉止操作に支障をきたしていた。また、図１８に示すようにスライダーａを開方向に移動した場合には、務歯ｄ１，ｄ２とスライダーａの開方向側Ｂ′の開口部ｇとの間に間隙ｋ′が形成されるので、この間隙ｋ′内に裏地ｈ，ｈが入り込み、不用意に噛み合うため、同様にスライダーａが務歯ｄ１，ｄ２に対して動かなくなり、務歯ｄ１，ｄ２の開操作に支障をきたしていた。
このように、従来のスライドファスナーでは、務歯ｄ１，ｄ２の開閉操作を行うためにスライダーａを閉方向側Ａ′または開方向側Ｂ′に移動させた場合に、務歯ｄ１，ｄ２とスライダーａの前後の開口部ｆ，ｇとの間に間隙ｋ，ｋ′が形成されるので、裏地ｈ，ｈが噛み合い易くなり、スライダーａの開閉操作が円滑かつ迅速に行えなかった。しかも、一度、裏地ｈ，ｈが務歯ｄ１，ｄ２に噛み合うと、噛み合いを解いてスライダーａを自由に移動させるのに多くの時間と労力が必要になるという不都合があった。
【０００６】
また図２０および図２１に示す上記従来のスライドファスナーは、スライダーａ′の開口部ｆ′に対して前部に位置する断面略スプーン状の分離板ｉをスライダーａ′の底部に設けたものは、分離板ｉにより裏地ｈ′等を下方へ押下げながら開口部ｆ′内に務歯ｄ１，ｄ２を導入して閉じるものに過ぎない。そして、分離板ｉの先端と開口部ｆ′との距離ｌが離れて設けられているので、開口部ｆ′と務歯ｄ１，ｄ２との間に生ずる間隙ｋをなくすための何らの手段は施されてはいない。しかも、分離板ｉは平面扇形であり、断面略スプーン状に形成されるので、スライダーａ′が移動するのに伴い左右に裏地ｈ′を押し分けて開口部ｆ′内への絡み付きを防止するという何らの工夫は施されてはいない。このため、裏地ｈ′を形成するための成形材料が軟らかいものであったり、または薄い成形材料により形成されている場合には、裏地ｈ′が撓んで屈曲されたり、或いは断面スプーン状の分離板ｉの上面の凹み内に屈曲されて巻き込まれ易くなる。さらには、勢いよくスライダーａ′を閉方向側Ａ′に移動した場合には、開口部ｆ′内に裏地ｈ′が巻き込まれるので、裏地ｈ′が務歯ｄ１，ｄ２やスライダーａ′に噛み合い、スライダーａ′が移動しなくなる。
【０００７】
さらに、図２２に示す上記従来例のように、スライダーａ″の下面にテーパを外周に形成した略皿状の滑盤ｉ″を装着したものは、滑盤ｉ″により袋物に詰めた内容物としての布ｈ″等を下方へ押下げるのに過ぎないので、同様に滑盤ｉ″の先端と開口部ｆ″との距離ｌ′が離れ、開口部ｆ″と務歯ｄ１，ｄ２との間に生ずる間隙ｋをなくすための何らの手段は施されてはいないため、務歯ｄ１，ｄ２ないしはスライダーａ″との絡み付きを無くそうとするものである。しかも、滑盤ｉ″は全体形状が平坦な皿状に形成されているのに過ぎないので、図１９および図２１のスライダーａ″の移動に伴い左右に裏地ｈ″を押し分けて開口部ｆ″内への絡み付きを防止するのには不充分である。
【０００８】
本発明は上記従来の欠点を解決するとともに務歯とスライダーの務歯を開閉する開口部との間に生ずる間隙を無くし、裏地の侵入による不用意な噛み合いを防止し、務歯の開閉操作を円滑かつ迅速に行うようになしてスライダーの移動の自由度を保証し、構造簡単にして製作および組付が容易であり、量産可能で製作コストが安価なスライドファスナーを提供しようとする。
【０００９】
【課題を解決するための手段】
本発明の請求項１に記載の発明は、務歯を開閉するスライダーの下部に務歯の下面に接触しながら裏地との間に進入可能に分離板を設け、該分離板には閉方向側または開方向側に設ける務歯を導入するか、または導出させる開口部の少なくとも一方に対して底部が先窄まりで前端および後端に側面所望角度にて設置される端部傾斜面部と、該端部傾斜面部の左右両側に正面所望角度に連設された傾斜側面部とによりなるそり上がった立上がり部の壁面部が形成されたことを特徴とするという手段を採用した。
【００１０】
また、本発明の請求項２に記載の発明は、請求項１において前記壁面部の底部は、スライダーの閉方向側または開方向側に務歯を開閉可能に設ける務歯を導入するか、または導出させる開口部よりも前端および後端が幅狭に形成されることを特徴とするという手段を採用した。
【００１１】
また、本発明の請求項３に記載の発明は、請求項１または請求項２の何れかにおいて前記壁面部は、スライダーの閉方向側および開方向側に設けることを特徴とするとするという手段を採用した。
【００１２】
また、本発明の請求項４に記載の発明は、請求項１，請求項２，または請求項３の何れかにおいて前記壁面部は、分離板の前端および後端に側面所望角度にて設置される正面略逆台形の端部傾斜面部と、該端部傾斜面部の左右両側に正面所望角度に連設された側面逆三角形の傾斜側面部とにより形成されたことを特徴とするという手段を採用した。
【００１３】
また、本発明の請求項５に記載の発明は、請求項１，請求項２，請求項３，または請求項４の何れかにおいて前記分離板は、スライダーと一体に形成されるか、またはスライダーとは別体に形成されて適宜固着手段によりスライダーの下部に取付けられることを特徴とするという手段を採用した。
【００１４】
また、本発明の請求項６に記載の発明は、請求項１，請求項２，請求項３，請求項４，または請求項５の何れかにおいて分離板は、該分離板の上面にスライダーの底面形状に略合致して設けた嵌合凹部または孔部にスライダーの下部が嵌着されることを特徴とするという手段を採用した。
【００１５】
また、本発明の請求項７に記載の発明は、務歯を開閉するスライダーの底面に、閉方向側または開方向側に設ける務歯を導入するか、または導出させる開口部の少なくとも一方の何れかの前部に位置して平面先窄まりの案内立壁部が形成されたことを特徴とするという手段を採用した。
【００１６】
また、請求項８に記載の発明は、請求項７において前記案内立壁部は、スライダーの閉方向側または開方向側に務歯を開閉可能に設ける務歯を導入するか、または導出させる開口部よりも前端または後端が幅狭に形成されることを特徴とするという手段を採用した。
【００１７】
また、請求項９に記載の発明は、請求項７または請求項８の何れかにおいてスライダーの前記底部は、閉方向側の開口部よりも前方へ延長させた第１延出端として形成されるとともに開方向側には開口部よりも後方へ延長させた第２延出端として形成されることを特徴とするという手段を採用した。
【００１８】
【発明の実施の形態】
以下、図面に従って本発明の実施の形態の具体例を説明する。
図１乃至図９は本発明の第１実施形態を示し、１は金属または合成樹脂等の剛性材により形成され、左右１対の務歯２Ａ，２Ｂを開閉するために移動されるスライダーであり、このスライダー１の前後には閉方向側Ａまたは開方向側Ｂに務歯２Ａ，２Ｂを一端から導入し、他端から排出するような開口部３，４が形成される。
【００１９】
５は務歯２Ａ，２Ｂを開閉するスライダー１の下部に務歯２Ａ，２Ｂの下面に接触しながら裏地６，６との間に進入可能に設けられた分離板であり、この分離板５は金属または合成樹脂等の剛性と平滑性とを有する形成材料により形成される。また、分離板５の前面および後面には閉方向側Ａまたは開方向側Ｂに設ける開口部３，４の少なくとも何れか、本実施形態では閉方向側Ａおよび開方向側Ｂに設ける開口部３，４に対して底部７Ａが先窄まりで立上がり部７Ｂの外形状が後方へ増大するようなそり上がった壁面部７，７が形成される。
前記壁面部７，７は、スライダー１を閉方向側Ａまたは開方向側Ｂに移動することにより務歯２Ａ，２Ｂの開閉操作を行う時に裏地６，６を左右に押分けることによりスライダー１の開口部３，４と左右の務歯２Ａ，２Ｂとの間に裏地６，６が侵入するような間隙を無くして務歯２Ａ，２Ｂまたはスライダー１に対する裏地６，６の噛み合いを防止するためのものである。
【００２０】
また、前記壁面部７，７は、スライダー１の閉方向側Ａまたは開方向側Ｂに務歯２Ａ，２Ｂを開閉可能に設ける開口部３，４よりも前端または後端が幅狭に形成されることにより務歯２Ａ，２Ｂの開閉操作時に裏地６，６との間に進入して裏地６，６を左右に押分け、スライダー１の開口部３，４と務歯２Ａ，２Ｂとの間に裏地６，６が侵入するのを有効に阻止してスライダー１の噛み合いを有効に防止する。
【００２１】
前記立上がり部７Ｂは、分離板５の前端および後端に側面所望角度θ１、図１，図３に示すように本実施形態では略１５°〜３０°にて設置される正面略逆台形の端部傾斜面部９と、該端部傾斜面部９の左右両側に図４、図５に示すように正面所望角度θ２、図示する本実施形態ではそれぞれ略４５°に連設された側面逆三角形の左右の傾斜側面部１０，１０とにより形成される。このように、分離板５の前端および後端に側面所望角度θ１にて正面略逆台形をなした端部傾斜面部９と、該端部傾斜面部９の左右両側には正面所望角度θ２に側面逆三角形の傾斜側面部１０，１０とを連設したのは、分離板５の前端および後端が裏地６，６との間に円滑かつ確実に進入するようにするためと、左右に設置配置した傾斜側面部１０，１０により分離板５の外容積が前端および後端から漸次増大するようにして分離板５による裏地６，６の押分けを確実にするためである。
【００２２】
また、前記分離板５は、スライダー１と一体に形成されるか、またはスライダー１とは別体に形成されて適宜固着手段１１によりスライダー１の下面に取付けられる。この際、固着手段１１としては、スライダー１と分離板５とが共に金属により形成される場合には、溶接により取付が行われるか、接着剤を用いた接着によったり、嵌着したり、加締めにより取付が行われる。また、スライダー１と分離板５とが共に合成樹脂により形成される場合には、高周波溶着によったり、嵌合したり、接着剤を用いて接着することによりスライダー１の下面に分離板５が取付られる。
【００２３】
さらに、スライダー１が金属で形成され、分離板５が合成樹脂により形成される等、それぞれ異質の成形材料により形成される場合には、固着手段１１としては例えば図７および図８に示すようにスライダー１の下面に、スライダー１の外形状より小形であり適宜個数の爪１２ａを外周に有する突条部１２を形成し、また分離板５の上面には前記突条部１２が嵌合される凹部１３を設けるとともに前記爪１２ａが係合される爪受１３ａを凹部１３の対応個所にそれぞれ形成する。そして、取付には突条部１２を凹部１３内に嵌合し、爪１２ａを爪受１３ａに係合させてスライダー１の下面に分離板５を取付ける。
【００２４】
また固着手段１１の他の変形例として、たとえば図９に示すようにスライダー１の下面に爪１２ａを有した突条部１２を設け、また前記爪１２ａが係合される爪受１４ａを内周の対応位置に設けた孔部１４を分離板５を設けたことにより、孔部１４内に突条部１２を嵌合し、爪１２ａを爪受１４ａに係合させることによってスライダー１の下面に分離板５を取付けることもできる。
１５はスライダー１の引手であり、この引手１５の形状、材質の変更は自由に行え、しかもスライダー１に対する取付の変更も自由に行える。また、１６はスライダー１の開口部３，４内に設けられた案内壁である。
【００２５】
本発明の第１実施形態は以上の構成からなり、務歯２Ａ，２Ｂを開閉するにはスライダー１を開方向側Ａまたは閉方向側Ｂに移動することは従来と同様である。
【００２６】
しかしながら、本実施形態では例えば図１の実線に示すように引手１５を引いてスライダー１を務歯２Ａ，２Ｂに対して閉方向に移動すると、スライダー１の下部に設けた分離板５の前端および後端に形成される壁面部７の端部傾斜面部９の上端がスライダー１と一緒に務歯２Ａ，２Ｂの下面に接触しながら移動して行く。
このため、図１５ないし図１９に示す従来のスライドファスナーとは異なりスライダー１の閉方向側Ａに設けた開口部３と務歯２Ａ，２Ｂとの間に生ずる間隙を無くすことができるので、裏地６，６が開口部３内に入り込む余地はない。
また、スライダー１は、分離板５により背面が覆われるので、スライドファスナーを衣服などに装着した場合に、身体に違和感などを覚えることなく、またスライダー１の移動操作の邪魔になることもない。
【００２７】
この際、図１，図２に示すようにスライダー１を移動するのに伴って分離板５の壁面部７は、立上がり部７Ｂの前端および後端には正面略逆台形の端部傾斜面部９が側面所望角度θ１にそり上がって形成されるので、この端部傾斜面部９が務歯２Ａ，２Ｂと裏地６，６との間に迅速かつ確実に進入されて行く。
【００２８】
しかも、立上がり部７Ｂは、端部傾斜面部９を中央にしてその左右両側に正面所望角度θ２に側面逆三角形の傾斜側面部１０，１０が連設されることにより分離板５の外形が前端から漸次増大するように形成されるので、中央の端部傾斜面部９と左右両側に連設される傾斜側面部１０，１０との協同した推力により裏地６，６との間に分離板５が円滑かつ確実に進入するため、裏地６，６は務歯２Ａ，２Ｂとの接触が断たれて効率的に左右に分担して押分けられる。また、上述のように分離板５の前端の壁面部７は外形が前端から漸次増大するように形成されて図２０および図２１に示す従来のスライドファスナーのように、断面略スプーン状に形成されず、しかも分離板５の壁面部７における端部傾斜面部７Ｂの上端は務歯２Ａ，２Ｂの下面に接触しながら移動して行くので、図２０および図２１に示す従来のスライドファスナーとは異なりスライダー１の閉方向側Ａに設けた開口部３と務歯２Ａ，２Ｂとの間に生ずる間隙を無くすことができる。
このため、裏地６，６を形成するための成形材料が軟らかいものであったり、または薄い成形材料により裏地６，６が形成されている場合に、裏地６，６が撓んで分離板５の上面に屈曲されたり、或いは分離板５の上面に屈曲されて巻き込まれることなく、さらには、勢いよくスライダー１を閉方向側Ａに移動した場合に、開口部３内に裏地６，６が巻き込まれることはない。従って、務歯２Ａ，２Ｂの閉操作時にスライダー１の開口部３と務歯２Ａ，２Ｂとの間へ裏地６，６が侵入されるのを壁面部７により阻止でき、裏地６，６の抵抗が少なく、スライダー１は自由に移動するため、務歯２Ａ，２Ｂの閉操作は円滑かつ確実に行われる。
【００２９】
また、この壁面部７は、スライダー１の閉方向側Ａに設ける開口部３よりも前端が幅狭に形成されるので、務歯２Ａ，２Ｂの閉操作時に裏地６，６を左右に効率良く押分けてスライダー１の開口部３と務歯２Ａ，２Ｂとの間への裏地６，６の侵入を有効に阻止してスライダー１の噛み合いは有効に防止される。
【００３０】
また、務歯２Ａ，２Ｂの開操作を行うには、図１の想像線に示すように引手１５を引いて今度はスライダー１を務歯２Ａ，２Ｂに対して開方向Ｂに移動すると、スライダー１の下部に設けた分離板５の後端に形成される壁面部７の端部傾斜面部９の上端がスライダー１と一緒に務歯２Ａ，２Ｂの下面に接触しながら移動して行く。このため、図１５ないし図１９に示す従来のスライドファスナーとは異なりスライダー１の開方向側Ｂに設けた開口部４と務歯２Ａ，２Ｂとの間に生ずる間隙を分離板５の後端の壁面部７が進入することにより無くすことができるので、裏地６，６が開口部４内に入り込む余地はない。
【００３１】
しかも、開方向へスライダー１が移動するのに伴って分離板５の後端の壁面部７は前述の閉操作時と同様に務歯２Ａ，２Ｂの下面に接触しながら裏地６，６との間に進入されて行くので、裏地６，６は左右に押し分けられる。従って、務歯２Ａ，２Ｂの開操作時にスライダー１の開口部４と務歯２Ａ，２Ｂとの間に裏地６，６が侵入されるのを分離板５の壁面部７により阻止できるため、スライダー１の噛み合いを防止することができる。
【００３２】
この際、壁面部７は、分離板５の後端に設置される正面略逆台形の端部傾斜面部９が側面所望角度θ１にそり上がって形成されているので、分離板５の後端に設置される正面略逆台形の端部傾斜面部９は務歯２Ａ，２Ｂと裏地６，６との間に間隙を生ずることなく迅速かつ確実に進されて行く。しかも、壁面部７は、端部傾斜面部９を中央にしてその左右両側に正面所望角度θ２に側面逆三角形の傾斜側面部１０，１０がそれぞれ連設されることにより外形が後端から漸次増大するように形成されるので、中央の端部傾斜面部９と左右の傾斜側面部１０，１０との協同した推力により裏地６，６は分離板５により務歯２Ａ，２Ｂとの接触が断たれ、左右に効率的に分担して押分けられるため、裏地７，７の抵抗が少なくなりスライダー１は自由に移動され、務歯２Ａ，２Ｂの開操作は円滑に行われる。
【００３３】
また、この壁面部７の後端は、スライダー１の開方向側Ｂに設ける開口部４よりも幅狭に形成されるので、務歯２Ａ，２Ｂの開操作時に裏地６，６を左右に効率良く押分けてスライダー１の開口部４と務歯２Ａ，２Ｂとの間へ分離板５が進入されることにより裏地６，６が開口部４内に侵入するのを有効に阻止してスライダー１の噛み合いを有効に防止することができる。
【００３４】
図１０乃至図１４に示すものは本発明の第２実施形態である。
この実施形態では、前記壁面部７は、スライダー１の底部を閉方向側Ａの開口部３よりも前方へ延長させた第１延出端２０，２０として形成するとともに該第１延出端２０，２０の上面には前記開口部３の前部に位置して設けられる平面先窄まりの案内立壁部２１，２１が形成され、開方向側Ｂには開口部４よりも後方へ延長させた第２延出端２２，２２が形成されている。
【００３５】
そして、務歯２Ａ，２Ｂの閉操作を行うためにスライダー１を閉方向側Ａに移動すると、スライダー１の底部を閉方向側Ａの開口部３よりも前方へ延長させた第１延出端２０，２０の上面に平面先窄まりの案内立壁部２１，２１を設けているので、開口部３と務歯２Ａ，２Ｂとの間に生ずる間隙を最小限にできるため、裏地６，６が開口部３内に入り込むのが案内立壁部２１，２１により阻止される。しかも、スライダー１の底部を閉方向側Ａの開口部３よりも前方へ延長させた第１延出端２０を形成しているので、この第１延出端２０が務歯２Ａ，２Ｂとの間に進入されながらスライダー１と一緒に移動するため、裏地６，６は左右に押分けられる。従って、務歯２Ａ，２Ｂの閉操作時にスライダー１の開口部３と務歯２Ａ，２Ｂとの間に裏地６，６が侵入されるのを阻止できるため、スライダー１の噛み合いは防止される。
【００３６】
また、務歯２Ａ，２Ｂの開操作を行うには、スライダー１の開方向側Ｂに開口部４よりも後方へ延長させた第２延出端２２，２２を形成しているので、スライダー１を開方向側Ｂに移動すると、第２延出端２２，２２がスライダー１の底部の開方向側Ｂの開口部４よりも前方へ延長されて位置されるため、開口部４と務歯２Ａ，２Ｂとの間に生ずる間隙は最小限になる。しかも、開方向側Ｂの開口部４よりも前方へ第２延出端２２，２２が延長して形成されるので、この第２延出端２２，２２が務歯２Ａ，２Ｂとの間に進入されながらスライダー１と一緒に移動するため、裏地６，６は左右に押分けられる。従って、務歯２Ａ，２Ｂの開操作時にスライダー１の開口部４と務歯２Ａ，２Ｂとの間へ裏地６，６が侵入されるのを阻止できるため、スライダー１の噛み合いは防止される。
【００３７】
なお、前記第１実施形態において、分離板５の前端および後端に設けられる端部傾斜面部９を設定する角度θ１を略１５°〜４５°とし、しかも端部傾斜面部９の左右に連設される左右の傾斜側面部１０，１０を設置する角度θ２を正面４５°としたが、これらの角度θ１，θ２は、裏地６，６が硬いか軟らかいか、または厚いか薄いか等に応じて自由に増減変更が行われ、好適なものが選択される。
【００３８】
また前記第１実施形態においては、スライダー１の下部に取付た分離板５の前端および後端に底部７Ａが先窄まりで立上がり部７Ｂの外形が後方へ漸次増大するようにそり上がった壁面部７，７が形成されたことにより務歯２Ａ，２Ｂとスライダー１の開口部３，４との間に生ずる間隙を無くし、裏地６の侵入による不用意な噛み合いを防止するようにしているが、この壁面部７，７は図には示さないが分離板５の前端および後端の何れか一側に形成されるものであってもよい。
【００３９】
また前記第２実施形態では、スライダー１の底部の前部に、平面先窄まりの案内立壁部２１，２１を形成したことによりスライダー１の開口部３との間に生ずる間隙を無くし、裏地６の侵入による不用意な噛み合いを防止するようにしているが、案内立壁部２１，２１は図には示さないがスライダー１の前部および後部に設けた開口部３，４の何れか一方に形成されるものであってもよい。
【００４０】
【発明の効果】
本発明の請求項１に記載の発明は以上のように、務歯を開閉するスライダーの下部に務歯の下面に接触しながら裏地との間に進入可能に分離板を設け、該分離板には閉方向側または開方向側に設ける務歯を導入するか、または導出させる開口部の少なくとも一方に対して底部が先窄まりで前端および後端に側面所望角度にて設置される端部傾斜面部と、該端部傾斜面部の左右両側に正面所望角度に連設された傾斜側面部とによりなるそり上がった立上がり部の壁面部が形成されたことを特徴とし、また請求項４の発明は、請求項１，請求項２，または請求項３の何れかにおいて前記壁面部は、分離板の前端および後端に側面所望角度にて設置される正面略逆台形の端部傾斜面部と、該端部傾斜面部の左右両側に正面所望角度に連設された側面逆三角形の傾斜側面部とにより形成され、また、本発明の請求項７に記載の発明は、務歯を開閉するスライダーの底面に、閉方向側または開方向側に設ける務歯を導入するか、または導出させる開口部の少なくとも一方の前部に位置して平面先窄まりの案内立壁部が形成されたことを特徴とするので、務歯とスライダーの開口部との間に生ずる間隙が無くなり、裏地の侵入による不用意な噛み合いを防止することができる。しかも、スライダーが移動するのに伴って分離板の壁面部は務歯の下面に接触しながら裏地との間に進入され、裏地は左右に押分けられる。このため、務歯の開閉操作が円滑かつ迅速に行え、スライダーの移動の自由度が保証される。しかも、本願発明のスライドファスナーは構造簡単にして製作および組付が容易であり、量産可能になり、製作コストが安価になる。
【００４１】
また、本発明の請求項２に記載の発明は、請求項１において前記壁面部の底部は、スライダーの閉方向側または開方向側に務歯を開閉可能に設ける務歯を導入するか、または導出させる開口部よりも前端および後端が幅狭に形成されることを特徴とし、また、請求項８に記載の発明は、請求項７において前記案内立壁部は、スライダーの閉方向側または開方向側に務歯を開閉可能に設ける務歯を導入するか、または導出させる開口部よりも前端または後端が幅狭に形成されることを特徴とするので、務歯とスライダーのとの間に生ずる間隙が無くなり、裏地の侵入による不用意な噛み合いを防止することができる。このため、務歯の開閉操作が円滑かつ迅速に行え、スライダーの移動の自由度が保証される。
【００４２】
また、本発明の請求項３に記載の発明は、請求項１または請求項２の何れかにおいて前記壁面部は、スライダーの閉方向側および開方向側に設けることを特徴とするので、閉方向側および開方向側にスライダーを移動した場合に、務歯とスライダーの開口部との間に生ずる間隙が無くなり、裏地の侵入による不用意な噛み合いを防止することができる。このため、務歯の開閉操作が円滑かつ迅速に行え、スライダーの移動の自由度が保証される。
【００４３】
また、本発明の請求項５に記載の発明は、請求項１，請求項２，請求項３，または請求項４の何れかにおいて前記分離板は、スライダーと一体に形成されるか、またはスライダーとは別体に形成されて適宜固着手段によりスライダーの下部に取付けられ、また、本発明の請求項６に記載の発明は、請求項１，請求項２，請求項３，請求項４，または請求項５の何れかにおいて分離板は、該分離板の上面にスライダーの底面形状に略合致して設けられた嵌合凹部または孔部に嵌着されることを特徴とするので、構造簡単であり、製作および組付が容易になり、製作コストは安価になる。
【００４４】
また、請求項９に記載の発明は、請求項７または請求項８の何れかにおいてスライダーの前記底部は、閉方向側の開口部よりも前方へ延長させた第１延出端として形成されるとともに開方向側には開口部よりも後方へ延長させた第２延出端として形成されることを特徴とするので、閉方向および開方向へスライダーが移動するのに伴ってスライダーの底部を閉方向側および開方向側へ開口部よりも前方へ延長させて形成された第１延出端と第２延出端とが務歯の開閉操作時に裏地との間に進入され、裏地は左右に押し分けられる。従って、務歯の開閉操作時にスライダーの開口部と務歯との間へ裏地が侵入されるのを阻止することができ、スライダーの噛み合いを防止することができる。
【図面の簡単な説明】
【図１】本発明のスライドファスナーの第１実施形態を示し、使用状態の側面図である。
【図２】同じく使用状態を示す裏面図である。
【図３】同じく本実施形態のスライドファスナーを示す側面図である。
【図４】同じくスライドファスナーの正面図である。
【図５】同じくスライドファスナーの背面図である。
【図６】同じくスライドファスナーの平面図である。
【図７】同じくスライダーと分離板との固着手段の一例を示す分解斜視図である。
【図８】同じく分離板を示す斜視図である。
【図９】同じくスライダーと分離板との固着手段の他例を示す分解斜視図である。
【図１０】本発明のスライドファスナーの第２実施形態を示す斜視図である。
【図１１】同じく裏面より見た斜視図である。
【図１２】同じく使用状態を示す側面図である。
【図１３】同じく正面図である。
【図１４】同じく裏面図である。
【図１５】この種の従来のスライドファスナーの使用状態を示す斜視図である。
【図１６】同じくスライドファスナーを閉方向側に移動して務歯を閉じる場合の使用状態を示す側面図である。
【図１７】同じくスライドファスナーを閉方向側に移動して務歯を閉じる場合の使用状態を示す拡大側面図である。
【図１８】同じくスライドファスナーを開方向側に移動して務歯を開く場合の使用状態を示す側面図である。
【図１９】同じく裏面図である。
【図２０】従来のスライドファスナーの他例を示す斜視図である。
【図２１】同じく使用状態を示す斜視図である。
【図２２】従来のスライドファスナーのさらに他例を示す斜視図である。
【符号の説明】
１　　スライダー
２Ａ　務歯
２Ｂ　務歯
３　　開口部
４　　開口部
５　　分離板
６　　裏地
７　　壁面部
９　　端部傾斜面部
１０　側部傾斜面部
２０　第１延出端
２１　案内立壁部
２２　第２延出端
Ａ　　閉方向側
Ｂ　　開方向側
【図１】
2004024740.tif 000003
【図２】
2004024740.tif 000004
【図３】
2004024740.tif 000005
【図４】
2004024740.tif 000006
【図５】
2004024740.tif 000007
【図６】
2004024740.tif 000008
【図７】
2004024740.tif 000009
【図８】
2004024740.tif 000010
【図９】
2004024740.tif 000011
【図１０】
2004024740.tif 000012
【図１１】
2004024740.tif 000013
【図１２】
2004024740.tif 000014
【図１３】
2004024740.tif 000015
【図１４】
2004024740.tif 000016
【図１５】
2004024740.tif 000017
【図１６】
2004024740.tif 000018
【図１７】
2004024740.tif 000019
【図１８】
2004024740.tif 000020
【図１９】
2004024740.tif 000021
【図２０】
2004024740.tif 000022
【図２１】
2004024740.tif 000023
【図２２】
2004024740.tif 000024